(57)【要約】【課題】周辺に粉塵等を飛散させることなく、残土を効率的かつ、精度よく選別できる残土選別システムを提供する。【解決手段】残土選別システム１は前処理工程と、選別装置を備えた本処理工程とから構成される。前処理工程では、ベルトコンベア３に投入された残土は、磁選機４によって磁性物が除去され、ベルトコンベア１０では手選別によって大きな廃棄物が除去される。前処理工程で処理された残土は、ベルトコンベア１８により選別装置の分離金網４２に自動的に供給され、選別装置において、土砂、ゴミ、残留物の３つのクラスに分離選別される。そしてゴミはゴミ集積箱３２に、残留物は残留物集積箱４０に向かって各ベルトコンベアにより搬送され、残土は自動的にクラス毎にそれぞれ集積及び堆積されるようになっている。【選択図】  図１
2004305873.tif 000002
【特許請求の範囲】
【請求項１】
残土を選別するために、水平面に対して所定角度で傾斜する第１の分離金網と、
当該第１の分離金網の残土が流れる方向の下流側に設けられ、前記第１の分離金網上を流れた残留物を一方向へ搬送する第１の搬送手段と、
当該第１の搬送手段を覆うカバーと、
当該カバー内に、前記一方向とは反対方向に送風する送風手段と、
当該送風手段によって、前記一方向とは反対方向に送出されたゴミを収集する収集手段と、
当該収集手段によって収集選別されたゴミを、前記収集手段内部から外部に向かって搬送する第２の搬送手段とからなる選別装置を備え、
前記選別装置の前記第２の搬送手段によって搬送されたゴミを、ゴミを集積するゴミ集積箱に搬送する第３の搬送手段と、
前記選別装置の前記第１の搬送手段によって搬送された残留物を、残留物を集積する残留物集積箱に搬送する第４の搬送手段とを備えたことを特徴とする残土選別システム。
【請求項２】
前記第１の分離金網の直下には、前記第１の分離金網の網目を落下した土砂を受け入れて、前記第１の分離金網から離れる方向に向かって土砂を搬送する第５の搬送手段が設けられていることを特徴とする請求項１に記載の残土選別システム。
【請求項３】
前記第５の搬送手段は、前記第１の分離金網から離れるに従って斜め上方に向かって延設され、
前記第１の分離金網側の一端側から他端側に向かって斜め上方に延設する前記第５の搬送手段の他端側の直下には、前記第５の搬送手段によって搬送された土砂を、さらに細かく選別するための第２の分離金網が、水平面に対して所定角度で傾斜して設けられていることを特徴とする請求項２に記載の残土選別システム。
【請求項４】
前記第２の分離金網の土砂が流れる方向の下流側端部近傍には、前記第２の分離金網上を流れた残留物を搬送する第６の搬送手段が設けられていることを特徴とする請求項３に記載の残土選別システム。
【請求項５】
前記第２の分離金網の直下には、前記第２の分離金網の網目を落下した土砂を受け入れて、前記第２の分離金網とは離れる方向に搬送する第７の搬送手段が設けられていることを特徴とする請求項３又は４に記載の残土選別システム。
【請求項６】
前記第１の分離金網の上方には、前記第１の分離金網に残土を供給するための第８の搬送手段が設けられていることを特徴とする請求項１乃至５の何れかに記載の残土選別システム。
【請求項７】
前記第８の搬送手段において、前記第１の分離金網に向かって残土が搬送される方向の上流側端部には、前記第８の搬送手段に残土を供給するための第９の搬送手段が接続され、
当該第９の搬送手段において、前記第９の搬送手段上の残土中より大きな廃棄物を手選別によって取り除くことを特徴とする請求項６に記載の残土選別システム。
【請求項８】
前記第９の搬送手段の長さ方向側面に沿って、１又は２名以上の人間が、第９の搬送手段上の残土中より大きな廃棄物を取り除くための作業場が設けられていることを特徴とする請求項７に記載の残土選別システム。
【請求項９】
前記作業場には、手選別によって取り除かれた大きな廃棄物を、廃棄物を集積する廃棄物集積箱に搬送する第１０の搬送手段が設けられていることを特徴とする請求項８に記載の残土選別システム。
【請求項１０】
前記第９の搬送手段において、前記第８の搬送手段に向かって残土が搬送される方向の上流側端部には、前記第９の搬送手段に残土を供給するための第１１の搬送手段が接続され、
当該第１１の搬送手段には、前記第１１の搬送手段上の残土中から磁性物のみを選別して集積する磁性式選別手段が設けられていることを特徴とする請求項７乃至９の何れかに記載の残土選別システム。
【請求項１１】
前記第６の搬送手段には、前記第６の搬送手段によって搬送された残留物を、前記残留物集積箱に搬送するための第１２の搬送手段が設けられていることを特徴とする請求項４乃至１０の何れかに記載の残土選別システム。
【請求項１２】
前記作業場には、手選別によって取り除かれた大きな廃棄物を前記第１０の搬送手段に搬送するための第１３の搬送手段が設けられていることを特徴とする請求項９乃至１１の何れかに記載の残土選別システム。
【請求項１３】
前記第４の搬送手段は、前記第１の搬送手段から供給された残留物を前記第１２の搬送手段に向かって搬送することを特徴とする請求項１１又は１２に記載の残土選別システム。
【請求項１４】
前記第９の搬送手段と、前記作業場と、前記第１３の搬送手段とが設置されている区域は、残土中の粉塵が周囲に飛散しないようにするための覆いによって覆われていることを特徴とする請求項１２又は１３に記載の残土選別システム。
【請求項１５】
前記覆いは略直方体状の箱であって、
前記略直方体状の箱の側面には、内部の空気を排出するための換気口が設けられていることを特徴とする請求項１４に記載の残土選別システム。
【請求項１６】
前記換気口の前記覆いの外側には、前記覆いから排出される空気が通過するダクトが接続され、
当該ダクトの前記換気口と接続する一端部とは反対側の他端部は、空気を吸引するための空気吸引手段に接続されていることを特徴とする請求項１５に記載の残土選別システム。
【発明の詳細な説明】
【０００１】
【発明の属する技術分野】
本発明は、残土、砕石の選別を行う残土選別システムに関する。
【０００２】
【従来の技術】
従来、木造家屋や鉄筋コンクリート等の構造物の取り壊し作業、及び工事現場等に発生する残土には、石や土、砂、コンクリート、廃プラスチックやガラスの破片、木材の破片、合成樹脂の破片やシート、鉄等の金属、紙くず等が、種々なる形や大きさで含まれており、その分別が困難で有効な処分方法がないこと、近年では、このような残土の処理が社会的な問題にもなっている。そこで、これらの問題に対処するために、例えば、複数枚の平板状のふるいを、目の大きいものから下段に行くに従って目が小さくなるように、複数段に重ね合わせて、それらを振動させて、最上段のふるい上に供給した混合残留物を大きさによって複数のクラスに分別し、さらに分別された各クラスの廃棄物毎に風力選別を行い、大小の各サイズの重量物と軽量物を分別するようにした仕分け装置が知られている（例えば、特許文献１参照）。また、トロンメル（回転型ふるい機）による大きさを基準とした第一の分別手段と、風力選別手段としての第二の分別手段と、比重選別手段としての第三の分別手段を、特定の態様で組み合わせることによって、残土を分離選別するシステムも知られている（例えば、特許文献２参照）。
【０００３】
【特許文献１】
特開平１１−３３４８７号公報
【特許文献２】
特開２００１−９３１９号公報
【０００４】
【発明が解決しようとする課題】
しかしながら、前者のような残土の分離選別装置では、主に残土のサイズを基準とした選別と風力による選別とで残土を分離選別するものであり、特に風力選別では、残土に対して非常に強力なターボファンで空気を送風することから、周辺に粉塵等が舞い上がり、周辺環境を汚染するという問題点があった。また、後者のような残土の分離選別システムの場合では、混合廃棄物はトロンメルに向かって最初に供給されるために、混合廃棄物中に含まれる大きな砕石物、廃棄物又は、金属片等がトロンメル内を通過する際に、トロンメル内部を傷つけ、破損が生じやすく、選別性能に影響を生じるという問題点があった。
【０００５】
本発明は、上述の問題点を解決するためになされたものであり、周囲に粉塵を飛散させることなく、残土を効率的にかつ、精度よく選別できる残土選別システムを提供することを目的とする。
【０００６】
【課題を解決するための手段】
上記目的を達成するために、請求項１に記載の残土選別システムは、残土を選別するために、水平面に対して所定角度で傾斜する第１の分離金網と、当該第１の分離金網の残土が流れる方向の下流側に設けられ、前記第１の分離金網上を流れた残留物を一方向へ搬送する第１の搬送手段と、当該第１の搬送手段を覆うカバーと、当該カバー内に、前記一方向とは反対方向に送風する送風手段と、当該送風手段によって、前記一方向とは反対方向に送出されたゴミを収集する収集手段と、当該収集手段によって収集選別されたゴミを、前記収集手段内部から外部に向かって搬送する第２の搬送手段とからなる選別装置を備え、前記選別装置の前記第２の搬送手段によって搬送されたゴミを、ゴミを集積するゴミ集積箱に搬送する第３の搬送手段と、前記選別装置の前記第１の搬送手段によって搬送された残留物を、残留物を集積する残留物集積箱に搬送する第４の搬送手段とを備えたことを特徴とする構成となっている。
【０００７】
この構成の残土選別システムでは、選別装置によって残土を土砂、残留物、ゴミの３つのクラスに分離選別し、残留物は残留物集積箱に、ゴミはゴミ集積箱にそれぞれ搬送する第３の搬送手段と第４の搬送手段とを備えているので、選別装置によって排出されたゴミや残留物を手作業によって収集し、運搬する手間を省くことができる。
【０００８】
請求項２に記載の残土選別システムは、請求項１に記載の発明の構成に加え、前記第１の分離金網の直下には、前記第１の分離金網の網目を落下した土砂を受け入れて、前記第１の分離金網から離れる方向に向かって土砂を搬送する第５の搬送手段が設けられていることを特徴とする構成となっている。
【０００９】
この構成の残土選別システムでは、請求項１に記載の発明の作用に加え、第５の搬送手段は、第１の分離金網から落下する土砂を第１の分離金網の直下で受け入れるため、第５の搬送手段上から飛散する粉塵の量を最小限に抑えることができる。
【００１０】
請求項３に記載の残土選別システムは、請求項２に記載の発明の構成に加え、前記第５の搬送手段は、前記第１の分離金網から離れるに従って斜め上方に向かって延設され、前記第１の分離金網側の一端側から他端側に向かって斜め上方に延設する前記第５の搬送手段の他端側の直下には、前記第５の搬送手段によって搬送された土砂を、さらに細かく選別するための第２の分離金網が、水平面に対して所定角度で傾斜して設けられていることを特徴とする構成となっている。
【００１１】
この構成の残土選別システムでは、請求項２に記載の発明の作用に加え、第５の搬送手段上の残土は、第５の搬送手段における第１の分離金網側の一端側から他端側に向かって斜め上方に搬送され、さらに第５の搬送手段の他端側から落下して、第２の分離金網上に供給されるので、さらに土砂を細かく選別することができる。
【００１２】
請求項４に記載の残土選別システムは、請求項３に記載の発明の構成に加え、前記第２の分離金網の土砂が流れる方向の下流側端部近傍には、前記第２の分離金網上を流れた残留物を搬送する第６の搬送手段が設けられていることを特徴とする構成となっている。
【００１３】
この構成の残土選別システムでは、請求項３に記載の発明の作用に加え、第２の分離金網の網目を落下しなかった残留物は、第２の分離金網上を流れて第６の搬送手段に全て落下するので、残留物を全て収集して所定位置に搬送することができる。
【００１４】
請求項５に記載の残土選別システムは、請求項３又は４に記載の発明の構成に加え、前記第２の分離金網の直下には、前記第２の分離金網の網目を落下した土砂を受け入れて、前記第２の分離金網とは離れる方向に搬送する第７の搬送手段が設けられていることを特徴とする構成となっている。
【００１５】
この構成の残土選別システムでは、請求項３又は４に記載の発明の作用に加え、第７の搬送手段が第２の分離金網から落下する土砂を、第２の分離金網の直下で受け入れるため、第７の搬送手段上から飛散する粉塵の量を最小限に抑えることができる。
【００１６】
請求項６に記載の残土選別システムは、請求項１乃至５の何れかに記載の発明の構成に加え、前記第１の分離金網の上方には、前記第１の分離金網に残土を供給するための第８の搬送手段が設けられていることを特徴とする構成となっている。
【００１７】
この構成の残土選別システムでは、請求項１乃至５の何れかに記載の発明の作用に加え、第１の分離金網には、第８の搬送手段によって残土が供給されるので、第１の分離金網には略一定量の残土を連続的に供給することができる。
【００１８】
請求項７に記載の残土選別システムは、請求項６に記載の発明の構成に加え、前記第８の搬送手段において、前記第１の分離金網に向かって残土が搬送される方向の上流側端部には、前記第８の搬送手段に残土を供給するための第９の搬送手段が接続され、当該第９の搬送手段において、前記第９の搬送手段上の残土中より大きな廃棄物を手選別によって取り除くことを特徴とする構成となっている。
【００１９】
この構成の残土選別システムでは、請求項６に記載の発明の作用に加え、第９の搬送手段上の残土から、予め手選別によって大きな廃棄物を取り除くので、選別装置の第１の分離金網に供給される残土には、大きな廃棄物は含まれず、第１の分離金網が損傷することを防止することができる。
【００２０】
請求項８に記載の残土選別システムは、請求項７に記載の発明の構成に加え、前記第９の搬送手段の長さ方向側面に沿って、１又は２名以上の人間が、第９の搬送手段上の残土中より大きな廃棄物を取り除くための作業場が設けられていることを特徴とする構成となっている。
【００２１】
この構成の残土選別システムでは、請求項７に記載の発明の作用に加え、第９の搬送手段の長さ方向に沿って設けられた作業場内で人間が作業をすることができるので、第９の搬送手段上の残土から直接、手選別で大きな廃棄物を取り除くことができる。
【００２２】
請求項９に記載の残土選別システムは、請求項８に記載の発明の構成に加え、前記作業場には、手選別によって取り除かれた大きな廃棄物を、廃棄物を集積する廃棄物集積箱に搬送する第１０の搬送手段が設けられていることを特徴とする構成となっている。
【００２３】
この構成の残土選別システムでは、請求項８に記載の発明の作用に加え、作業場に設置された第１０の搬送手段に、残土中から取り除いた大きな廃棄物を投入すれば、自動的に大きな廃棄物を廃棄物集積箱に搬送させて集積させることができる。
【００２４】
請求項１０に記載の残土選別システムは、請求項７乃至９の何れかに記載の発明の構成に加え、前記第９の搬送手段において、前記第８の搬送手段に向かって残土が搬送される方向の上流側端部には、前記第９の搬送手段に残土を供給するための第１１の搬送手段が接続され、当該第１１の搬送手段には、前記第１１の搬送手段上の残土中から磁性物のみを選別して集積する磁性式選別手段が設けられていることを特徴とする構成となっている。
【００２５】
この構成の残土選別システムでは、請求項７乃至９の何れかに記載の発明の作用に加え、第１１の搬送手段上に設けられた磁性式選別手段は、第１１の搬送手段上の残土中に含まれる金属片等の磁性物を選別除去するので、選別装置には金属片等が供給されることがなく、選別装置を構成する各部品を損傷するのを防止することができる。
【００２６】
請求項１１に記載の残土選別システムは、請求項４乃至１０の何れかに記載の発明の構成に加え、前記第６の搬送手段には、前記第６の搬送手段によって搬送された残留物を、前記残留物集積箱に搬送するための第１２の搬送手段が設けられていることを特徴とする構成となっている。
【００２７】
この構成の残土選別システムでは、請求項４乃至１０の何れかに記載の発明の作用に加え、第２の分離金網の網目を落下しなかった全ての残留物は、第６の搬送手段によって、第１２の搬送手段に搬送されるため、自動的に残留物を残留物集積箱に搬送させて集積させることができる。
【００２８】
請求項１２に記載の残土選別システムは、請求項９乃至１１の何れかに記載の発明の構成に加え、前記作業場には、手選別によって取り除かれた大きな廃棄物を前記第１０の搬送手段に搬送するための第１３の搬送手段が設けられていることを特徴とする構成となっている。
【００２９】
この構成の残土選別システムでは、請求項９乃至１１の何れかに記載の発明の作用に加え、第９の搬送手段上で選別した大きな廃棄物は、第１３の搬送手段によって第１０の搬送手段に搬送されるので、作業する人間は移動せずとも、大きな廃棄物を自動的に廃棄物集積箱に搬送させることができる。
【００３０】
請求項１３に記載の残土選別システムは、請求項１１又は１２に記載の発明の構成に加え、前記第４の搬送手段は、前記第１の搬送手段から供給された残留物を前記第１２の搬送手段に向かって搬送することを特徴とする構成となっている。
【００３１】
この構成の残土選別システムでは、請求項１１又は１２に記載の発明の作用に加え、第４の搬送手段は、第１２の搬送手段に残留物を搬送させることにより、第１の分離金網及び第２の分離金網によって、それぞれ選別された残留物を一括してまとめて、第１２の搬送手段により残留物集積箱に搬送することができる。
【００３２】
請求項１４に記載の残土選別システムは、請求項１２又は１３に記載の発明の構成に加え、前記第９の搬送手段と、前記作業場と、前記第１３の搬送手段とが設置されている区域は、残土中の粉塵が周囲に飛散しないようにするための覆いによって覆われていることを特徴とする構成となっている。
【００３３】
この構成の残土選別システムでは、請求項１２又は１３に記載の発明の作用に加え、第９の搬送手段上の残土から発生する異臭や、残土中から飛散する粉塵を、覆いによって周囲に漏れないようにすることができる。
【００３４】
請求項１５に記載の残土選別システムは、請求項１４に記載の発明の構成に加え、前記覆いは略直方体状の箱であって、前記略直方体状の箱の側面には、内部の空気を排出するための換気口が設けられていることを特徴とする構成となっている。
【００３５】
この構成の残土選別システムでは、請求項１４に記載の発明の作用に加え、覆い内部の空気は、略直方体状の箱の側面に設けられた換気口を通じて外部に排出されるので、覆い内の空気を入れ換えることができる。
【００３６】
請求項１６に記載の残土選別システムは、請求項１５に記載の発明の構成に加え、前記換気口の前記覆いの外側には、前記覆いから排出される空気が通過するダクトが接続され、当該ダクトの前記換気口と接続する一端部とは反対側の他端部は、空気を吸引するための空気吸引手段に接続されていることを特徴とする構成となっている。
【００３７】
この構成の残土選別システムでは、請求項１５に記載の発明の作用に加え、覆い内部の空気は、覆いの側面に設けられた換気口からダクトを通じて、空気吸引手段によって吸引されるので、覆い内部の空気は常に換気され、清浄な空気を覆い内部に流入させることができる。
【００３８】
【発明の実施の形態】
以下、本発明の一実施の形態である残土選別システム１について、図面を参照して説明する。尚、本システムは、残土を大きさ、重量、磁性等によって選別し、それぞれ分類して集積するシステムである。ここでいう残土とは、岩、石、砕石、鉄片、土、砂、木片、紙、繊維、廃プラスチック、ビニール等を含むものとし、ゴミとは、木片、紙、繊維、廃プラスチック、ビニール等の軽量物をいう。
また、後述する選別装置５５は、残土を土砂、ゴミ、残留物（砕石物等）の３つのクラスにそれぞれ分離選別するための装置である。尚、以下の説明において、選別装置５５の分離金網４２の残土が流れる方向とは、残土が分離金網４２の上部から下部に向かって流れる方向を示し、選別ユニット５６の分離金網４４の土砂が流れる方向とは、土砂が分離金網４４の上部から下部に向かって流れる方向を示すこととする。
【００３９】
まず、残土選別システム１の全体の構成について、図１、図２及び図３を参照して説明する。ここで、図１は残土選別システム１の平面図である。図２は残土選別システム１の正面図であり、図３は残土選別システム１の背面図である。尚、残土選別システム１は、前処理工程と本処理工程の２つの工程から構成されている。ここで前処理工程とは、主に本処理工程に供給する残土中から、予め大きな廃棄物や磁性物を除去する工程をいう。一方、本処理工程とは、前処理工程で大きな廃棄物又は磁性物が除去された残土を、選別装置５５によって、土砂、ゴミ、残留物の３つのクラスに分離選別して、それぞれをクラス別に集積するまでの工程をいう。
【００４０】
まず、残土選別システム１の前処理工程は、図１又は図２に示すように、残土が最初に供給されるベルトコンベア３が水平方向に設けられ、ベルトコンベア３の搬送方向（図１中矢印方向）上流側近傍には、残土が投入されるための投入ホッパ２が固定され、さらに投入ホッパ２の下流側には、残土から磁性物（金属片等）のみを選別して除去するための磁選機４が設けられている。具体的には、この磁選機４は吊り下げ式の磁選機であり、磁選機４は、略直方体状の枠組みによって構成された磁選機架台５の上部に設けられた固定梁５ａ，５ａから、地面に対して鉛直方向に延設された４本の吊り下げ棒によって固定され、ベルトコンベア３のベルト上方に位置するように設けられている。また、磁選機４が固定された磁選機架台５の近傍には、磁選機４によって選別されて除去された磁性物（金属片、鉄くず等）を集積するための金属片集積箱７が設けられている。
【００４１】
さらに、図２又は図３に示すように、ベルトコンベア３の搬送方向の下流側には、ベルトコンベア３の地面からの高さより低い位置にベルトコンベア１０が水平方向に設置され、ベルトコンベア３に搬送された残土が、ベルトコンベア１０に落下するように、ベルトコンベア３とベルトコンベア１０とが隣り合う端部は上下方向に隙間を有して重ねられている。また、ベルトコンベア３の端部と重なるベルトコンベア１０の端部近傍には、ベルトコンベア３から搬送されて落下する残土を受け入れて、ベルトコンベア１０に案内するためのホッパ９が固定されている。尚、ベルトコンベア１０は、ベルトコンベア３から離れる方向（図１中矢印方向）に向かって残土を搬送する。
【００４２】
また、ベルトコンベア１０においては、搬送される残土中から大きな廃棄物を手選別で除去するために、ベルトコンベア１０の長さ方向側面に沿って、作業員が作業するための踏み台１３が設けられている。そして、踏み台１３のベルトコンベア１０側とは反対側には、ベルトコンベア１０とは反対方向（図１中矢印方向）に廃棄物を搬送し、当該搬送方向に向かってやや斜め上方に傾斜するベルトコンベア１１（図３参照）が設置されている。そして、ベルトコンベア１１とベルトコンベア１０との間には、ベルトコンベア１０からベルトコンベア１１に向かって斜め下方に傾斜する３つのシュート１２，１２，１２が、略等間隔に隙間を空けてそれぞれ渡設されている。
【００４３】
また、ベルトコンベア１０，踏み台１３，シュート１２，１２，１２、ベルトコンベア１１が設置されている区域には、複数のアングル部材と透明のシートによって構成されたテント状のシートハウス５０が設けられている。さらに、図３に示すように、シートハウス５０の前面側（図３中紙面裏側）には２つの換気口５１，５１が設けられ、それぞれの換気口５１，５１には、図２に示すようにダクト５２，５２がそれぞれ接続されている。またダクト５２，５２のシートハウス５０の換気口５１，５１に接続する一端部側とは反対側の他端部側には、１台の集塵機５３が接続されている。
【００４４】
さらに、図３に示すように、ベルトコンベア１１の搬送方向の下流側には、シートハウス５０の外側に設置されたベルトコンベア１４が設置されている。具体的には、ベルトコンベア１４の長さ方向に垂直な一端部が、斜め上方に傾斜するベルトコンベア１１の端部下方に隙間を空けて、上下方向に重ねられて設置されている。また、ベルトコンベア１４のベルトコンベア１１と上下方向に重なる端部には、ベルトコンベア１１の端部から落下する大きな廃棄物を受け入れて、ベルトコンベア１４に案内するためのホッパ１６が固定されている。
【００４５】
そして、ベルトコンベア１４のベルトコンベア１１と隣り合う一端部側と反対側の他端部側には、手選別によって除去された大きな廃棄物を集積するための略直方体状の箱である手選別集積箱６が設置されており、ベルトコンベア１４の当該他端部は、手選別集積箱６の壁の上に載置されている。よって、ベルトコンベア１４は、ベルトコンベア１１と重なる部分から手選別集積箱６に向かって、斜め上方に傾斜して設置されている。
【００４６】
さらに、手選別作業によって大きな廃棄物が除去された残土を搬送するベルトコンベア１０の搬送方向下流側端部には、ベルトコンベア１８がコンベア架台２１（図２参照）により、斜め上方に傾斜して設置されている。具体的には、ベルトコンベア１８は、水平方向に渡設されたベルトコンベア１０の搬送方向下流側端部の下方から、斜め上方に所定角度をもって傾斜して設置されている。また、ベルトコンベア１８の傾斜角度は、ベルトコンベア１８の一端部側から他端部側に向かって斜め上方に傾斜するベルトコンベア１８の他端部側が、後述する選別装置５５の分離金網４２の上方付近に位置するように調節されている。尚、ベルトコンベア１８の一端部側には、ホッパ１５が固定されている。
【００４７】
次に、残土選別システム１の本処理工程の構成について図１、図２，図３及び図４を参照して説明する。図４は残土選別システム１の本処理工程の構成を示す斜視図である。まず、図２又は図３に示すように、一端部側から他端部側に向かって斜め上方に傾斜するベルトコンベア１８の他端部側下方には、前処理工程で処理された残土を分離選別するための選別装置５５が設置されている。具体的には、ベルトコンベア１８の他端部側の下方に、選別装置５５の分離金網４２が位置するようになっている。
【００４８】
この選別装置５５は、図４に示すように、後述する傾斜調節フレーム５７（図６参照）と、傾斜調節フレーム５７の上部に固定され、水平面に対して所定角度で傾斜する分離金網４２と、分離金網４２の残土が流れる方向の下流側であって、分離金網４２の残土が流れる方向と垂直方向に長さ方向を有し、分離金網４２の網目を落下しなかった残留物を一方向（図１中矢印方向）に搬送するベルトコンベア２０とが設けられている。さらに、ベルトコンベア２０の上部には、分離金網４２の残土が流れる方向の下流側近傍と、当該下流側近傍からベルトコンベア２０の搬送方向とは反対方向の下流側端部までを覆うためのカバー部１９が設けられている。そして、ベルトコンベア２０の上方であって、カバー部１９の開口部近傍には、ベルトコンベア２０の搬送方向とは反対方向に向かって、カバー部１９内に送風するための送風機４８が設けられている。
【００４９】
そして、図３又は図４に示すように、ベルトコンベア２０の搬送方向とは反対方向の下流側端部には、送風機４８によって、残留物中から吹き出されるゴミ等の軽量物を収集して、大きさ、重量等によって選別するための収集装置２６が接続されている。また、収集装置２６のベルトコンベア２０が接続する側面と対向する側面からは、収集装置内部に蓄積したゴミを外部に搬送するためのベルトコンベア２８が斜め上方に突出して延設されている。さらに、ベルトコンベア２８の収集装置２６の内側から外側に向かって突出した端部下方には、ベルトコンベア３０の長さ方向に垂直な一端部側が隙間を空けて位置するようになっている。
そして、ベルトコンベア３０の一端部側とは反対側の他端部側には、選別装置５５によって分離選別されたゴミを集積する略直方体状のゴミ集積箱３２が設置され、ベルトコンベア３０の他端部側の底部が、ゴミ集積箱３２の壁の上に載置させられている。尚、ベルトコンベア３０の一端部側には、ホッパ２９が固定されている。
【００５０】
一方、図１又は図２に示すように、ベルトコンベア２０の搬送方向の下流側端部下方には、ベルトコンベア３６の一端部が隙間を空けて重なるように設けられ、ベルトコンベア３６は、一端部側から他端部側に向かって斜め上方に傾斜している。尚、ベルトコンベア３６の当該一端部にはホッパ３５が固定されている。
さらに、ベルトコンベア３６の他端部側には、ベルトコンベア３８が設置され、ベルトコンベア３８の一端部側が、ベルトコンベア３６の端部の下方に位置するように設置されている。尚、ベルトコンベア３６の端部下方に位置するベルトコンベア３８の一端部側には、ホッパ３７が固定されている。また、ベルトコンベア３８のベルトコンベア３６と重なる一端部側と反対側の他端部側には、選別装置５５で選別された残留物（砕石物等）を集積するための略直方体状の残留物集積箱４０が設置されている。尚、ベルトコンベア３８の他端部側は、残留物集積箱４０の壁の上に載置されているので、ベルトコンベア３８は、残留物集積箱４０に向かって斜め上方に傾斜している。
【００５１】
また、図４に示すように、分離金網４２の下方から、分離金網４２から離れる方向に向かって、ベルトコンベア４３が斜め上方に傾斜して設けられ、分離金網４２側の一端部側から他端部側に向かって斜め上方に延設されたベルトコンベア４３の他端部側下方には、選別ユニット５６が設置されている。選別ユニット５６は、分離金網４４と、傾斜調節フレーム７５と、ベルトコンベア４５と、ベルトコンベア４７と、土留め板４６とから構成されている。具体的には、後述する傾斜調節フレーム７５によって支持された分離金網４４が、水平面に対して所定角度傾斜して設けられている。
【００５２】
そして、傾斜する分離金網４４の下方から、分離金網４４から離れる方向に向かって、ベルトコンベア４７が斜め上方に傾斜して設けられている。具体的には、ベルトコンベア４７の分離金網４４側の一端部側から、他端部側に向かって斜め上方に傾斜している。また、分離金網４４の土砂が流れる方向の上流側端部の裏面側から、ベルトコンベア４７に向かって略鉛直方向に平行な面を有するハードル状の土留め板４６が、ベルトコンベア４７より所定の隙間を空けて設けられている。
【００５３】
また、分離金網４４の土砂が流れる方向の下流側には、分離金網４４の土砂が流れる方向に対して垂直方向に長さを有するベルトコンベア４５が設けられている。ベルトコンベア４５は、ベルトコンベア２０の搬送方向と同じ方向（図１中矢印方向）に残留物を搬送する。そして、ベルトコンベア４５の残留物の搬送方向の下流側端部下方には、分離金網４２の網目を落下しなかった残留物を搬送するベルトコンベア３６の搬送方向下流側の端部が位置するようになっている。
【００５４】
また、図２又は図３に示すように、ベルトコンベア１４、ベルトコンベア１８、ベルトコンベア３０、ベルトコンベア３６、ベルトコンベア３８、ベルトコンベア４３、ベルトコンベア４７は、搬送中の残土、残留物、ゴミから粉塵が飛散しないようにするための粉塵カバーが設けられている。具体的にはベルトコンベア１４には粉塵カバー１４ａ、ベルトコンベア１８には粉塵カバー１８ａ、ベルトコンベア３０には粉塵カバー３０ａ、ベルトコンベア３６には粉塵カバー３６ａ、ベルトコンベア３８には粉塵カバー３８ａ、ベルトコンベア４３には粉塵カバー４３ａ、ベルトコンベア４７には粉塵カバー４７ａがそれぞれ設けられている。以上の構成部材によって、残土選別システム１の全体が構成されている。
【００５５】
次に、ベルトコンベア３に固定された投入ホッパ２について説明する。ベルトコンベア３に固定された投入ホッパ２は、図１，図２及び図３に示すように、下方に向かって小径化する略角錐形状を有し、ベルトコンベア３の搬送方向の上流側端部に固定されており、鉛直上方に開口せしめられた大形の開口部から、選別処理の対象物である残土が投入されるようになっている。投入された残土は下部の排出口から、その下方に設置されたベルトコンベア３に重力で落下するようになっている。また、ベルトコンベア３は、ベルト上に略一定量ずつ供給される残土を水平方向に向かって搬送し、ベルトコンベア１０に供給するようになっている。尚、この残土の投入は、例えば、ダンプ等から直接残土を投入したり、バックホー等を用いて残土を投入することができる。また、投入ホッパ２の開口部に、例えば格子状の金網（図示外）を配設することによって、残土中に含まれる極めて大形の木材等を初期の段階にて選別して除去することも可能である。
【００５６】
次に、磁選機４について説明する。図１、図２及び図３に示すように、磁選機４はベルトコンベア３の上部に吊り下げられ、コンベア上の残土中から磁性物（鉄片・鉄塊など）のみを選別除去するために設けられている。この磁選機４は電磁式の吊下磁選機である。磁選機４の構造は、鉄芯とケース、アルミ条コイルとコイルの熱を逃がすための絶縁油とで電磁石が構成されており、電磁石に吸引された鉄片等の磁性物はスクレーパ（図示外）付のベルト部にて外部に排出されるようになっている。尚、磁選機架台５は、各アングル部材から構成された架台であり、磁選機架台５の上面部に渡設された２本の固定梁５ａ，５ａから、４本の吊下棒が、地面に対して略鉛直方向に延設されており、さらにそれらの長さ方向の地面側先端部に磁選機４が固定されている。そして、磁選機４によって残土中から選別された磁性物は、金属片集積箱７に集積される。
【００５７】
次に、ベルトコンベア１０における手選別作業とシートハウス５０の内部構成について図２，図５を参照して説明する。図５はシートハウス５０とシートハウス５０内部の構成を示す斜視図である。尚、手選別作業とは、ここでは残土中の大きな砕石物や大きな木片等を手選別にて除去する作業をいう。まず、図５に示すように、ベルトコンベア１０は、ベルトコンベア３の搬送方向下流側の端部下方から、ベルトコンベア３の長さ方向に平行かつ、水平方向に設置されている。
そして、ベルトコンベア１０の背面側（図５紙面の手前側）には、所定の間隔を空けて、ベルトコンベア１０の長さ方向と平行方向にベルトコンベア１１が設置されている。このベルトコンベア１１は搬送方向（図５中矢印方向）に向かって斜め上方に傾斜して設置されており、その搬送方向の下流側端部下方には、ベルトコンベア１４が設置されている。尚、ベルトコンベア１０には、ベルトコンベア１０の搬送速度を自由に変更することができる速度変更手段を用いてもよい。
この速度変更手段は、手選別作業者にとって作業しやすいコンベアの搬送速度に調節することができるので、手選別作業者の負担を軽減することができる。
【００５８】
そして、ベルトコンベア１０とベルトコンベア１１との間には、３つの略長方形状からなるシュート１２，１２，１２が、それぞれ互いに等間隔を空けて渡設されており、それらの隙間には作業員が一人ずつ配置されるようになっている。
また、作業員が作業する足場には、１枚の略長方形状の踏み台１３が、後述するシートハウス５０の水平梁１４３と１４５との間に渡設されている。
【００５９】
さらに、ベルトコンベア１０と、ベルトコンベア１１と、シュート１２，１２，１２と、踏み台１３が設けられている区域には、この区域全体を覆うためのシートハウス５０が設置されている。これは、ベルトコンベア１０上で行われる手選別作業において、残土中の異物から発生する異臭（アンモニア臭等）や、残土中から飛散する粉塵等が周囲に漏れないようにするために設けられている。シートハウス５０は、複数のアングル部材と、透明なビニールシートによって構成されている。具体的には、ベルトコンベア１０の長さとほぼ同じ長さを有する長梁１３７の長さ方向に垂直な両端部と、それに対向する長梁１３８の長さ方向に垂直な両端部との間に、短梁１３５，１３６がそれぞれ渡設され、シートハウス５０の上部に位置する略長方形状の枠部が構成される。そして、短梁１３５の長さ方向に垂直な両端部から、地面に対して鉛直方向に支柱梁１３９，１４０が延設されている。また、短梁１３６の長さ方向に垂直な両端部からも、地面に対して鉛直方向に支柱梁１４１，１４２が延設されている。こうして、略直方体状のシートハウス５０の枠組みが構成される。そして、略直方体状のシートハウス５０の底面以外の面には、透明のビニールシートが貼り付けられ、外部とは遮断された状態となっている。尚、シートハウス５０の背面側の支柱梁１４１の近傍には、切り欠き部１４７が設けられ、ビニールシートに上下方向の切り込みが入れられている。よって、作業員は切り欠き部１４７から、シートハウス５０内部に入ることができ、それぞれの所定位置に入って作業を開始する。
【００６０】
また、シートハウス５０の各面において、ベルトコンベア３の端部とベルトコンベア１０の端部が上下に重なる部分には通過口１５５、ベルトコンベア１０のベルトコンベア３と重なる一端部側とは反対側の他端部側近傍には通過口１５６、ベルトコンベア１１とベルトコンベア１４とが上下方向に重なる部分の近傍には通過口１５７が設けられており、シートハウス５０の内部及び外部のベルトコンベアはそれぞれ互いに連絡できるようになっている。また、支柱梁１４０の上部と支柱梁１４２の上部との間には水平梁１４４が水平方向に渡設されている。
そしてシートハウス５０のベルトコンベア１０が設置されている側の側面であって、この水平梁１４４の下部には２つの換気口５１，５１が設けられており、換気口５１，５１には略ホース状のダクト５２，５２がそれぞれ接続されている。
そして、ダクト５２，５２の換気口５１，５１と接続する一端部側と反対側の他端部側には、図１又は図２に示す１台の集塵機５３が接続されており、シートハウス５０内部の空気や粉塵は、集塵機５３により吸引されるようになっている。
【００６１】
また、支柱梁１３９の下部と支柱梁１４０の下部との間には、水平梁１４５が水平方向に渡設され、支柱梁１４１の下部と支柱梁１４２の下部との間にも、水平梁１４３が水平方向に渡設されている。そして、水平梁１４３と水平梁１４５との間には、ベルトコンベア１０とベルトコンベア１１との隙間と同じ幅を有する上述の略長方形状の踏み台１３が渡設され、作業員の足場となる。尚、水平梁１４３及び１４５の地面からの高さは、踏み台１３上で作業員がベルトコンベア１０において作業する際に作業しやすいように調節されている。尚、本実施例では、３人の作業員用に作業区域を３つ、シュートを３つ用意したが、これに限らず、例えばベルトコンベアの長さを変更して、作業する人員を変更してもよい。
【００６２】
次に、選別装置５５について、図６を参照して具体的に説明する。図６は選別装置５５の斜視図である。図６に示すように、選別装置５５において、選別装置５５の支持台となる支持部５７ｂと略長方形状の枠部５７ａから構成される傾斜調節フレーム５７が設けられ、その枠部５７ａの上部には、枠部５７ａと同じ外周枠形状の金網支持枠６１が、水平面に対して所定角度で傾斜して固定されている。さらに金網支持枠６１の上部には、金網支持枠６１と同じ外周枠形状をもつ１枚の分離金網４２が固定されている。具体的には、金網支持枠６１の外周枠上面には防振ゴム６２が複数個配設されており、その上に分離金網４２が固定されている。この防振ゴム６２は、後述する振動モータ６０により分離金網４２が振動する際に、その振動が他の部材に伝わらないようにするための緩衝部材として設けられている。
【００６３】
また、分離金網４２の残土が流れる方向と平行方向であって、分離金網４２の略中央に沿って桟４２ａが設けられている。この桟４２ａは、後述する振動モータ６０によって分離金網４２が振動することにより、分離金網４２が歪まないようにするための部材である。さらに、分離金網４２の残土が流れる方向に平行な両端側には、シュート片５８ａ，シュート片５８ｃが、分離金網４２の残土が流れる方向の上流側には、シュート片５８ｂが設けられており、分離金網４２に供給される残土が外側にこぼれ落ちない様にするための部材である。尚、傾斜調節フレーム５７は、支持部５７ｂを構成する部材（図示外）が上下方向に伸長することによって、枠部５７ａ、即ち分離金網４２の傾斜角度を自由に調節することができる。また、後述する選別ユニット５６の傾斜調節フレーム７５も同様な機能を備えている。
【００６４】
さらに、分離金網４２の表面及び裏面側には、略矩形状の鉄板である振動板５９が固定されている。具体的には、振動板５９は、分離金網４２の残土が流れる方向の上流側であって、分離金網４２の左右何れかの一端側近傍において、分離金網４２を表面及び裏面側から挟み込むようにして分離金網４２に固定されている。そして、振動モータ６０は分離金網４２に固定された分離金網４２の裏面側に固定された振動板５９に固定されている。
【００６５】
また、図２又は図６に示すように、分離金網４２の裏面側直下には、分離金網４２の網目から落下した土砂を受け入れて搬送するベルトコンベア４３が設置されている。また、分離金網４２の残土が流れる方向の下流側の端部近傍には、ベルトコンベア２０が、分離金網４２の残土が流れる方向とベルトコンベア２０の長さ方向とが垂直に交わるように設置されている。さらに、図２又は図６に示すように、分離金網４２上を流れた残留物がベルトコンベア２０に向かって落下する方向には、残留物を受け止める略長方形状の弾性体を保持する落下吸収部２２が、ベルトコンベア２０の長さ方向に平行に設けられている。この略長方形状の弾性体は、分離金網４２の残土が流れる方向に平行な両端間の長さとほぼ同じ長さを有しており、ベルトコンベア２０のベルト部分の分離金網４２から離れる一端部側近傍に略垂直に降り立つようにして設けられている。
【００６６】
さらに、ベルトコンベア２０の上部には、分離金網４２の残土が流れる方向の下流側の端部近傍と、当該端部近傍からベルトコンベア２０の搬送方向とは反対方向の下流側端部までを覆うカバー部１９が設置されている。さらに、ベルトコンベア２０上に設置されたカバー部１９の開口部分に向かって、空気を送風するための送風機４８が送風機架台４９に固定された送風機固定板４８ａに設置されている。これは、送風機４８が、ベルトコンベア２０の搬送方向とは反対方向に送風するようになっている。
【００６７】
そして、ベルトコンベア２０の搬送方向とは反対方向の下流側端部には、送風機４８によって、残留物中から吹き出されるゴミ等の軽量物を収集し、大きさ、重量等によって選別するための収集装置２６が接続されている。また、収集装置２６の上面部には、収集装置２６内の空気を外側に排気するための排気口（図示外）が設けられ、その上部には排気ボックス６９が設けられ、さらに排気ボックス６９には、収集装置２６内から排出される空気を再度送風機４８に返送するためのダクト６４が接続されている。また、傾斜調節フレーム５７の内側には、電源装置（図示外）が設置され、各装置に電源を供給している。
【００６８】
次に、収集装置２６について、図７，図８，図９を参照して説明する。図７は収集装置２６の斜視図であり、図８は収集装置２６の正面図、図９は左右扉部１５０，１６０を開いた収集装置２６の正面図である。尚、図７、図８、図９の収集装置２６において、紙面上右側を右側面部、左側を左側面部、紙面表側に位置する面を前面部、紙面裏側に位置する面を背面部とする。まず、図７に示すように、収集装置２６は、略直方体状の箱にて構成され、収集装置２６の左側面部には受入口８０が設けられている。
【００６９】
また、ベルトコンベア２０が接続される左側面部には、略矩形状の平板部材である第１の連結片１０８が、受入口８０の上部に面接合され、左側面部の上辺よりやや上方に突出して固定されている。また、受入口８０の地面に垂直な一辺とその上方に向かう延長線上には、第２の連結片１０９の端部が左側面部と略垂直に接続されている。第２の連結片１０９は、細長い略長方形状であって、上下方向に長さ方向を有する部材である。また、第２の連結片１０９の上端部は、第１の連結片１０８の上端部と同一平面上となるように切断されている。これらはベルトコンベア２０上に設置されるカバー部１９と接続するための部材となる。
【００７０】
さらに、図８に示すように、収集装置２６の前面部には、左右扉部１５０、１６０が設けられており、左扉部１５０はちょうつがい部１０５，１０５によって軸支され、また右扉部１６０も同様に、ちょうつがい部１０５，１０５によって軸支され、それぞれが中央より観音開き式に開閉可能となっている。
【００７１】
そして、左扉部１５０及び右扉部１６０には、互いに隣り合う端部近傍の上部と下部には嵌合穴１２２がそれぞれ設けられている。また、図９に示すように、収集装置２６の略中央部に固定された略長方形状の平面を有する中央梁１６２の上部及び下部には、凸部１２３がそれぞれ２つずつ接続されている。そして、図８に示すように、左右扉部１５０，１６０が閉じた際に、凸部１２３に左右扉部１５０，１６０の嵌合穴１２２がそれぞれ嵌合するようになっている。凸部１２３に左右扉部１５０，１６０の嵌合穴１２２がそれぞれ嵌合すると、嵌合穴１２２から凸部１２３がやや突出するようになっており、凸部１２３の突出する部分に設けられた地面に略垂直な挿入孔（図示外）にカギ部１２１を差し込むことにより、左右扉部１５０，１６０はロック状態となる。また、左扉部１５０の略中央部には、窓部１５１が、右扉部１６０の略中央部には、窓部１６１がそれぞれ設けられ、左右扉部１５０，１６０が閉じられた状態においても、収集装置２６の内部を確認できるようになっている。
【００７２】
さらに、図８又は図９に示すように、左右扉部１５０，１６０の下方には、蓋部９４が設けられ、蓋部９４の地面に垂直な両端部に設けられた固定部１３０により、蓋部９４は収集装置２６から着脱可能となっている。尚、固定部１３０は、上記の嵌合穴１２２、凸部１２３、カギ部１２１による固定方法と同じである。そして、収集装置２６の内部には、受入口８０の下辺近傍に設けられ、回転軸部８１ａに軸支される多数の開口を有する網状の平板８１と、地面と平行であって、多数の開口を有する網状の敷き板８３が設けられている。また、敷き板８３から上方に積み上げ可能な多数の開口を有する網状の３枚の仕切板９０ａ，９０ｂ，９０ｃが、敷き板８３から上方向に延設された４本のガイド梁１０１，１０２，１０３，１０４（図７参照）によって挟まれて設けられている。また、収集装置２６の内側の背面部側には、背面部側壁面とは所定距離（本実施例では５０ｍｍ）離間して、多数の開口を有する網状の背面板８２が設けられている。
【００７３】
そして、図９に示すように、収集装置２６の上面部には、略矩形上の排気口（図示外）が設けられ、その上部には、略直方体状の箱である排気ボックス６９が、フィルタ９５を挟んで固定されている。さらに、排気ボックス６９には円筒部材（図示外）が、排気ボックス６９の背面部側（図９紙面裏側）に接続されており、円筒に囲まれる排気ボックス６９の側面は切り抜かれている。また、図７に示すように、円筒部材にはホース状のダクト６４が接続され、ダクト６４の円筒部材と接続する一端部側と反対側の他端部側は、図６に示す送風機４８に接続されている。尚、図９に示すように、排気ボックス６９と円筒部材との接続部分には、３枚のフィルタからなるフィルタ９７が設置されている。よって、収集装置２６に吹き込まれた空気は排気口（図示外）を通じて外部に排出され、その空気はダクト６４を通って、送風機４８に返送される。また、排気口のフィルタ９５とフィルタ９７により、排出される空気中に混在するゴミはろ過されるようになっている。
【００７４】
また、図９に示すように、収集装置２６の右側面部には、略矩形状の廃棄口１０６が設けられている。廃棄口１０６の幅は、ベルトコンベア２８の幅とほぼ同じ長さとなっている。また、廃棄口１０６の下辺は、収集装置２６の右側面部の敷き板８３と接続する部分から１５ｃｍ上方に位置している。そして、廃棄口１０６から収集装置２６の内側の略中央部（仕切板９０の近傍）に向かって、ベルトコンベア２８が渡設されている。そして、ベルトコンベア２８の略中央部底面は、廃棄口１０６の下辺上に載置され、Ｕ字形固定具（図示外）でベルトコンベア２８の底面を廃棄口１０６の下辺上に固定している。よって、ベルトコンベア２８は図中右上がりに傾斜し、かつ廃棄口１０６から突出して設置されている。
【００７５】
また、ベルトコンベア２８の収集装置２６内部に挿入されている部分には、ホッパ部９３が設けられている。ホッパ部９３は、３枚のホッパ片から構成され、ベルトコンベア２８の長さ方向の両端側にはそれぞれ略矩形状のホッパ片がそれぞれ１枚ずつ接続されている。また、ベルトコンベア２８の長さ方向に垂直であって、収集装置２６内部に位置するベルトコンベア２８の一端部側にも、１枚のホッパ片が接続されている。尚、ベルトコンベア２８に接続される３枚のホッパ片は略長方形状のゴム板からなる部材である。そして、それぞれのホッパ片のベルトコンベア２８に接続される一端部側とは反対側の他端部側は、ベルトコンベア２８のベルト面に対して反対側に傾斜しており、収集装置２６の前面部側の壁面と、背面部側の壁面とにそれぞれ接している。また、ベルトコンベア２８の長さ方向に垂直であって、収集装置２６内部に位置する一端部側のホッパ片のベルトコンベア２８と接続する一端部側と反対側の他端部側は、仕切板９０ｃの上部近傍に位置するようになっている。
【００７６】
また、図９に示すように、廃棄口１０６から突出するベルトコンベア２８には、その長さの略半分までを覆うカバー部２７が設けられている。このカバー部２７のカバー固定部２７ａは、縦に連接する略矩形状の３枚のカバー固定片が、それぞれの連接する辺において、内側に略直角方向に折り曲げられて構成される略コの字形形状の部材となっている。カバー固定部２７ａは連接する辺に囲まれる内側を地面方向に向けて、収集装置２６の右側面部であって廃棄口１０６の上部に垂直に接続されている。さらに、カバー固定部２７ａの地面方向に向かう両端側からは、２枚のゴム片２７ｂ（１枚は図示外）が、ベルトコンベア２８上の長さ方向に平行な両端側に向かって垂れ下がっている。また、カバー固定部２７ａの図中右側に開く開口部は略矩形状の平面板２７ｃによって塞がれている。さらに、カバー固定部２７ａの上面部には略矩形状の排気口（図示外）が設けられており、排気口の上部には排気ボックス７０がフィルタ９６を挟んで固定されている。さらに、排気ボックス７０には、ダクト６５（図７参照）が接続するための円筒部材（図示外）が、排気ボックス７０の背面部側（図９紙面裏側）に接続されている。尚、排気ボックス７０と円筒部材との接続部分には、３枚のフィルタからなるフィルタ９８が設置されている。よって、排気口のフィルタ９６とフィルタ９８により、排出される空気中に混在するゴミはろ過されるようになっている。尚、図９に示すように、フィルタ９５は排気ボックス６９から図９中左側に向かって引き出せるようになっており、またフィルタ９６も同様に排気ボックス７０から図９中右側に向かって引き出せるようになっている。
【００７７】
さらに、図７又は図８に示すように収集装置２６の左側面部において、受入口８０の下部には、略矩形状の送風口８４が設けられている。また、送風口８４には、送風口８４を通じて、収集装置２６の外側から内側にゴミや異物等が流入しないようにするためのフィルタ８５が固定されている。さらに、収集装置２６の外側であって、送風口８４の下辺近傍には、送風機固定板６３ａの端部が接続されており、送風機固定板６３ａには、送風機６３が所定角度をもって固定されている。具体的には、送風機６３は、送風口８４から収集装置２６の内部の平板８１の裏面側に向かって送風するように固定されている。尚、上述したが、送風機６３には、ダクト６５が接続されているので、カバー部２７内部の空気及び粉塵は、ダクト６５を通じて送風機６３に返送されるようになっている。
【００７８】
次に、選別ユニット５６について、図１０を参照して具体的に説明する。図１０は選別ユニット５６の斜視図である。選別ユニット５６は、図１０に示すように、上述の選別装置５５と同じ基本構造を有している。傾斜調節フレーム７５の上部に位置する枠部には枠部と同じ外周枠形状の金網支持枠７６が固定され、さらに金網支持枠７６の上部には、金網支持枠７６と同じ外周枠形状をもつ１枚の分離金網４４が固定されている。具体的には、金網支持枠７６の外周枠上面には防振ゴム７７が複数個配設されており、その上に分離金網４４が固定されている。
【００７９】
また、分離金網４４の残土が流れる方向と平行方向であって、分離金網４４の略中央には桟４４ａが設けられている。この桟４４ａは、後述する振動モータ７４によって分離金網４４が振動する際に、分離金網４４が歪まないようにするための部材である。尚、傾斜調節フレーム７５は、選別装置５５の傾斜調節フレーム５７と同様に、分離金網４４の傾斜角度を調節することができる。
【００８０】
さらに、分離金網４４の表面側及び裏面側には、略矩形状の鉄板である振動板７３が固定されている。具体的には、振動板７３は分離金網４４の残土が流れる方向の上流側で、分離金網４４の左右何れかの一端側近傍において、分離金網４４を表面側及び裏面側から挟み込むようにして、分離金網４４に固定されている。そして、振動モータ７４は、分離金網４４に固定された分離金網４４の裏面側に固定された振動板７３に固定されている。
【００８１】
また、分離金網４４の裏面側直下には、分離金網４４の網目から落下した土等を受け入れて搬送するベルトコンベア４７が設置されている。また、分離金網４４の残土が流れる方向の下流側の端部近傍には、ベルトコンベア４５が分離金網４４の残土が流れる方向とベルトコンベア４５の長さ方向とが垂直に交わるように設置されている。さらに、分離金網４４上を流れた残留物がベルトコンベア４５に向かって落下する方向には、残留物を受け止める略長方形状の弾性体を保持する落下吸収部７２が、ベルトコンベア４５の長さ方向に平行に設けられている。この略長方形状の弾性体は、分離金網４４の残土が流れる方向に平行な両端間の長さとほぼ同じ長さを有しており、ベルトコンベア４５のベルト部分の分離金網４４から離れる一端側近傍に略垂直に降り立つようにして設けられている。
【００８２】
また、図１０に示すように、分離金網４４の土砂が流れる方向の上流側端部の裏面側から、ベルトコンベア４７に向かって略鉛直方向に平行な面を有する平板部材を保持するハードル状の土留め板４６が設けられている。尚、当該平板部材は、ベルトコンベア４７より所定の隙間が空けられている。
【００８３】
次に、残土選別システム１の残土が選別処理される流れについて、図１乃至図９を参照して説明する。まず、図１乃至図３に示すように、選別処理の対象物となる残土を、ベルトコンベア３の端部に固定された投入ホッパ２に投入する。投入ホッパ２に投入された残土は、重力により下方に落下して、ベルトコンベア３にて搬送される。そして、ベルトコンベア３の上部に設置された磁選機４によって、残土中の磁性物（金属片等）は選別されて除去される。除去された磁性物（金属片等）は、磁選機架台５の近傍に設置された金属片集積箱７に集積されるようになっている。
【００８４】
そして、ベルトコンベア３によって搬送された残土は、シートハウス５０内に設置されたベルトコンベア１０の端部に落下し、シートハウス５０内を搬送される。そして、シートハウス５０内のベルトコンベア１０の側面に沿って作業員３人がシュート１２と１２との間にそれぞれ配置され、作業員達によってベルトコンベア１０上の残土中に含まれる大きな廃棄物が手選別にて除去される。手選別によって除去された大きな廃棄物は、シュート１２によってベルトコンベア１１に落下し、ベルトコンベア１０の搬送方向と反対方向に搬送される。そしてベルトコンベア１１により搬送された大きな廃棄物は、シートハウス５０の外側に設置されたベルトコンベア１４の端部に落下して、そのままベルトコンベア１４に搬送されて、手選別集積箱６に集積される。
【００８５】
また、ベルトコンベア１０上の残土からは、アンモニア臭等の異臭や、粉塵などでシートハウス５０の内部環境が悪化するが、シートハウス５０内の空気は、換気口５１，５１及びダクト５２，５２を通じ、集塵機５３によって吸引されるので、シートハウス５０内には清潔な空気が流入し、作業員の健康を害さずに作業を行うことができる。
【００８６】
一方、ベルトコンベア１０上の磁性物又は大きな廃棄物が除去された残土は、そのまま搬送され、シートハウス５０の外側のベルトコンベア１８の端部に落下する。そして、ベルトコンベア１８によって、残土は選別装置５５の分離金網４２の上方に向かって搬送される。そして、ベルトコンベア１８上の残土は、選別装置５５の分離金網４２上に落下して、網目より小さな粒径の土砂は分離金網４２の下方に落下することになる。
【００８７】
次に、選別装置５５において残土が選別処理される流れについて、図１乃至図６を参照して説明する。まず、図６に示すように、傾斜調節フレーム５７に固定された分離金網４２の表面上部に残土が供給されると、残土は、振動モータ６０により振動する分離金網４２上を流れ、網目より小さい粒径の土砂は、分離金網４２の直下に設置されたベルトコンベア４３上に落下し、傾斜調節フレーム５７の内側から外側に向かって搬送される。一方、分離金網４２の網目より大きい粒径の残留物は、分離金網４２上を流れる。さらに、分離金網４２上を流れた残留物は、ベルトコンベア２０に設置された落下吸収部２２に衝突し、ベルトコンベア２０上に落下するようになっている。
【００８８】
さらに、分離金網４２からベルトコンベア２０に落下して搬送される残留物は、送風機４８により、ベルトコンベア２０の残留物が搬送される方向とは反対方向に向かって送風されるので、残留物中の軽いゴミはベルトコンベア２０の搬送方向とは反対方向に飛ばされる。また、送風機４８は、カバー部１９内部に向かって送風するので、送風によってゴミに付着した粉塵が舞い上がるが、カバー部１９内であるので、外部周辺に粉塵が飛散することがない。そして、送風機４８によって吹き出された残留物中のゴミは、カバー部１９内に沿って吹き飛ばされ、収集装置２６の受入口８０にまで到達する。
【００８９】
次に、収集装置２６においてゴミが選別処理される流れについて、図９を参照して説明する。まず、図９に示すように、収集装置２６の受入口８０からゴミが吹き込まれる。さらに、吹き込まれたゴミは多数の開口を有する網状の平板８１上を通過する。ここで、送風機６３が送風口８４を通じて送風するので、軽いゴミは平板８１の面の略延長線上に沿って、ベルトコンベア２８に向かって飛ばされる。尚、平板８１は、回転軸部８１ａに軸支される一端側と反対側の他端部側は、斜め上方に向かうように調節されているので、受入口８０から離れる方向に飛ばされるようになっている。一方、大きくて重いゴミは、敷き板８３上の平板８１の下方付近にすぐに落下して蓄積するようになっているので、選別作業後に収集装置２６の左扉部１５０を開けて、蓄積した大きくて重いゴミを取り出せばよい。また、ゴミに付着した砂等は、多数の開口を有する網状の敷き板８３の下方に落下して、蓄積するようになっているので、収集装置２６の蓋部９４を外して、蓄積した砂を取り出せばよい。また、大きくて重いゴミが、敷き板８３上の平板８１の下方付近に山状になって蓄積されると、山が崩れて、ベルトコンベア２８に入り込んでしまうことがある。その時は、例えば仕切板９０ｂの上に仕切板９０ａを積み上げることにより、敷き板８３上の平板８１の下方付近に蓄積した大きくて重いゴミがベルトコンベア２８に入らないようにすることができる。
【００９０】
さらに、収集装置２６に吹き込まれた空気は、収集装置２６の上面に形成された排気口（図示外）から抜けて、排気ボックス６９、ダクト６４を通過して、送風機４８まで返送される。また、収集装置２６内のゴミは、排気口や排気ボックス６９に設けられたフィルタ９５，フィルタ９７によってろ過されるようになっている。尚、選別装置５５の選別作業が継続して、平板８１の下方付近に大きくて重いゴミが大量に蓄積され、敷き板８３の網目を塞いで、空気の流れが悪くなったとしても、収集装置２６内の空気は、背面板８２の網目を通過することができるので、収集装置２６内の空気の流れは維持されるようになっている。
【００９１】
ところで、受入口８０からベルトコンベア２８に向かって飛ばされたゴミは、ホッパ部９３により誘導され、ベルトコンベア２８に落下する。さらに、ベルトコンベア２８上に落下したゴミは、収集装置２６の外側に向かって搬送され、廃棄口１０６を通過して、収集装置２６の外側に搬送される。この時、廃棄口１０６の内側から外側に向かって、内部空気が勢いよく排出されるので、ゴミに付着する粉塵が舞い上がる。しかし、ベルトコンベア２８の外側は、カバー部２７によって覆われているので、周囲に粉塵が飛散することがない。さらに、カバー部２７内の空気と粉塵は、排気口（図示外）から、排気ボックス７０及びダクト６５を通過して、送風機６３に返送されるので、カバー部２７内の空気と粉塵は吸引されるようになっている。そして、ベルトコンベア２８によって搬送されたゴミは、図１に示すベルトコンベア３０の端部に落下し、そのままゴミ集積箱３２に搬送され集積されることになる。
【００９２】
一方、図１に示すように、分離金網４２の網目を落下せず、ベルトコンベア２０によって搬送された残留物は、ベルトコンベア２０の搬送方向下流側端部の下方に位置するベルトコンベア３６の端部に落下し、その残留物は選別ユニット５６のベルトコンベア４５の搬送方向下流側端部下方に向かって搬送される。
【００９３】
また、選別装置５５の分離金網４２の網目から落下した土砂は、ベルトコンベア４３上に落下し、選別ユニット５６に向かって搬送される。具体的には、ベルトコンベア４３により搬送された土砂は、選別ユニット５６の分離金網４４上に落下する。尚、分離金網４４の網目サイズは、分離金網４２の網目サイズより小さくなっているので、ベルトコンベア４３により搬送された土砂は、さらに細かく選別される。そして、分離金網４４の網目を落下した土砂は、ベルトコンベア４７に落下して、分離金網４４から離れる方向に向かって搬送される。そして、ベルトコンベア４７の端部から落下して、細かい粒径の土砂が地面に堆積するようになっている。また、土留め板４６は、例えばベルトコンベア４７に搬送される土砂が大量であった時に、ベルトコンベア４７は斜め上方に向かって土砂を搬送するために、ベルト上に蓄積した土砂が崩れて、分離金網４４の下方付近まで逆流してしまうことがあるので、逆流する土砂を分離金網４４の下方付近に流れ込む手前で遮蔽するために設けられている。
【００９４】
また、分離金網４４の網目を落下しなかった残留物は、そのまま分離金網４４上を流れ、ベルトコンベア４５上に落下する。そして、ベルトコンベア４５は、落下した残留物を、ベルトコンベア２０の搬送方向と平行方向に搬送する。そして、ベルトコンベア４５上の残留物は、ベルトコンベア４５の搬送方向下流側端部の下方に位置するベルトコンベア３６の搬送方向下流側端部に落下して、続いてベルトコンベア３８の搬送方向上流側端部に落下するようになっている。よって、分離金網４２で選別された残留物と、分離金網４４で選別された残留物とが一緒になり、ベルトコンベア３８によってまとめて残留物集積箱４０に搬送され、集積されるようになっている。
【００９５】
以上の説明のように、選別装置５５を中心に備えた残土選別システム１は、残土を磁性物、大きな廃棄物、土砂、ゴミ、砕石物（残留物）に分離選別し、それぞれを選別毎に集積することができる。選別装置５５で処理する前に、予め磁性物や、大きな廃棄物を除去することにより、選別装置５５の負荷を軽減でき、尚かつ選別装置５５の選別能力を維持することができる。また、ベルトコンベアには、粉塵カバーが設けられているので、残土中から粉塵が飛散することなく、残土の選別処理を衛生的に行うことができる。
【００９６】
尚、本発明は上記の実施の形態に限定されるものではなく、各種の変形が可能である。ベルトコンベアの数は本実施例に限られず、多くしても少なくしてもよく、作業現場の広さ及び残土の処理量に合った大きさのベルトコンベアを用いるとよい。また、本実施例では選別装置５５の下流側には、１つの分離金網を設置したが、複数の分離金網を設けてもよい。また、本実施例では、ベルトコンベア２０から落下した残留物をベルトコンベア３６とベルトコンベア３８によって搬送され、残留物集積箱４０に集積されるようにしたが、ベルトコンベア３６の搬送方向下流側に別の残留物集積箱を設けてもよい。さらに、磁選機４は、シートハウス５０の上流側に設置したが、シートハウス５０の下流側に設置してもよく、残土中から大きな廃棄物を手選別で除去してから、磁性物を除去してもよい。また、シートハウス５０に設けられた換気口は１つでも複数でもよい。
【００９７】
【発明の効果】
以上、詳述したとおり、請求項１に記載の残土選別システムでは、選別装置によって残土を土砂、残留物、ゴミの３つのクラスに分離選別し、残留物は残留物集積箱に、ゴミはゴミ集積箱にそれぞれ搬送する第３の搬送手段と第４の搬送手段とを備えているので、選別装置によって排出されたゴミや残留物を手作業によって収集し、集積箱等に運搬する手間を省くことができる。
【００９８】
また、請求項２に記載の残土選別システムでは、請求項１に記載の発明の効果に加え、第５の搬送手段は、第１の分離金網の網目を落下した土砂を、第１の分離金網の直下で受け入れるので、飛散する粉塵の量も少なくすることができる。
よって、作業場周辺の環境を悪化させることなく残土の選別作業を行うことができる。
【００９９】
また、請求項３に記載の残土選別システムでは、請求項２に記載の発明の効果に加え、第１の分離金網の網目を落下した土砂は、第５の搬送手段によって、第１の分離金網より網目の小さい第２の分離金網の上方に向かって搬送され、第２の分離金網上に落下するようになっているので、第１の分離金網で選別された土砂を、さらに細かく分離選別することができる。
【０１００】
また、請求項４に記載の残土選別システムでは、請求項３に記載の発明の効果に加え、第２の分離金網の網目を落下せずに、第２の分離金網上を流れた残留物は、余すところなく第６の搬送手段に全て収集され、所定方向に搬送することができる。
【０１０１】
また、請求項５に記載の残土選別システムでは、請求項３又は４に記載の発明の効果に加え、第７の搬送手段は、第２の分離金網の網目を落下した土砂を、第２の分離金網の直下で受け入れるので、飛散する粉塵の量を少なくすることができる。よって、作業場周辺の環境を悪化させることなく残土の選別作業を行うことができる。
【０１０２】
また、請求項６に記載の残土選別システムでは、請求項１乃至５の何れかに記載の発明の効果に加え、ダンプやバックホーを使って、第１の分離金網に直接残土を供給しなくても、第８の搬送手段によって第１の分離金網から離れた位置からでも、第１の分離金網に残土を供給することができる。また、第１の分離金網には連続的かつ略一定量の残土を供給することができるので、選別装置には、一度に莫大な量の残土が供給されることがない。
【０１０３】
また、請求項７に記載の残土選別システムでは、請求項６に記載の発明の効果に加え、選別装置に供給される残土中の大きな廃棄物は、第９の搬送手段上において手選別によって除去されるので、選別装置には大きな廃棄物が供給されることがなく、大きな廃棄物による衝突及び落下によって選別装置内の構成部材の損傷を防ぐことができる。
【０１０４】
また、請求項８に記載の残土選別システムでは、請求項７に記載の発明の効果に加え、第９の搬送手段の長さ方向に沿って、複数の人間が作業をすることができる作業場が設けられ、第９の搬送手段上の残土から直接大きな廃棄物を手選別することができるので、選別装置には大きな廃棄物は供給されず、第１の分離金網を損傷させないようにすることができる。
【０１０５】
また、請求項９に記載の残土選別システムでは、請求項８に記載の発明の効果に加え、人間によって手選別された廃棄物を、第１０の搬送手段によって自動的に廃棄物集積箱まで搬送するので、人間が廃棄物集積箱まで廃棄物を運搬して投入する手間を省くことができる。
【０１０６】
また、請求項１０に記載の残土選別システムでは、請求項７乃至９の何れかに記載の発明の効果に加え、手選別作業が行われる第９の搬送手段の前に、第１１の搬送手段に設置された磁性式選別手段によって、残土中の磁性物は選別除去されるので、手選別作業の際に、金属片等で手をケガしたりすることを防止できる。
【０１０７】
また、請求項１１に記載の残土選別システムでは、請求項４乃至１０の何れかに記載の発明の効果に加え、第２の分離金網上の網目を落下しなかった残留物は、第６の搬送手段に搬送されたあと、第１２の搬送手段によって自動的に残留物集積箱に搬送されるので、選別された残留物を残留物集積箱に入れる手間を省くことができる。
【０１０８】
また、請求項１２に記載の残土選別システムでは、請求項９乃至１１の何れかに記載の発明の効果に加え、第９の搬送手段上で選別された大きな廃棄物は第１３の搬送手段によって、第１０の搬送手段に搬送されて廃棄物集積箱に集積されるので、作業する人間は大きな廃棄物を捨てるために作業場から離れる必要がなく、連続して作業をすることができる。
【０１０９】
また、請求項１３に記載の残土選別システムでは、請求項１１又は１２に記載の発明の効果に加え、第１の分離金網及び第２の分離金網によってそれぞれ選別された残留物を、まとめて第１２の搬送手段によって、残留物集積箱に搬送するので、搬送手段の設置数を減らすことができる。
【０１１０】
また、請求項１４に記載の残土選別システムでは、請求項１２又は１３に記載の発明の効果に加え、覆いは第９の搬送手段上の残土から発生する異臭や、残土中から飛散する粉塵を遮蔽することができるので、作業区域周辺の環境を汚染せずに残土の選別作業を行うことができる。
【０１１１】
また、請求項１５に記載の残土選別システムでは、請求項１４に記載の発明の効果に加え、覆い内部の空気は、覆いの側面に設けられた換気口を通じて排出することができるので、覆い内部の空気を換気して作業環境を良好に保つことができる。
【０１１２】
また、請求項１６に記載の残土選別システムでは、請求項１５に記載の発明の効果に加え、覆い内部の空気は、覆いの側面に設けられた換気口からダクトを通じて、空気吸引手段によって吸引されるので、覆い内部の空気は常に換気され、作業環境を良好に保つことができる。
【図面の簡単な説明】
【図１】図１は残土選別システム１の平面図である。
【図２】図２は残土選別システム１の正面図である。
【図３】図３は残土選別システム１の背面図である。
【図４】図４は残土選別システム１の本処理工程の構成を示す斜視図である。
【図５】図５はシートハウス５０とシートハウス５０内部の構成を示す斜視図である。
【図６】図６は選別装置５５の斜視図である。
【図７】図７は収集装置２６の斜視図である。
【図８】図８は収集装置２６の正面図である。
【図９】図９は左右扉部１５０，１６０を開いた収集装置２６の正面図である。
【図１０】図１０は選別ユニット５６の斜視図である。
【符号の説明】
１        残土選別システム
２        投入ホッパ
４        磁選機
６        手選別集積箱
７        金属片集積箱
２６      収集装置
３２      ゴミ集積箱
４０      残留物集積箱
４２      分離金網
４４      分離金網
４６      土留め板
４８      送風機
５０      シートハウス
５３      集塵機
５５      選別装置
５６      選別ユニット
６０      振動モータ
６３      送風機
【図１】
2004305873.tif 000003
【図２】
2004305873.tif 000004
【図３】
2004305873.tif 000005
【図４】
2004305873.tif 000006
【図５】
2004305873.tif 000007
【図６】
2004305873.tif 000008
【図７】
2004305873.tif 000009
【図８】
2004305873.tif 000010
【図９】
2004305873.tif 000011
【図１０】
2004305873.tif 000012